(57)【要約】      （修正有）【課題】椅子での生活において、椅子の座面と両脇の下との間に高さ調整自在とした脇の下支持具を介装することにより、使用する人のお尻の下側が座部材に微かに接する位の高さとなるように簡単に高さを調整することができ、椅子に座った際の上半身の重みを脇の下支持具で支え、下半身の重みで腰を自重牽引することにより簡単で且つ手軽に腰の痛みを緩和軽減することのできる椅子用の腰痛軽減補助装置を提供する。【解決手段】椅子の座面に載置する座部材３と腰当て部材５とからなる座部と、この座部に立設する高さ調整部材１０と、この高さ調整部材の上部に設けた背当て部材７と、この背当て部材に互いに横方向に出没自在に設けた左右一対の脇支え腕部材８とで椅子用の腰痛軽減補助装置１を構成する。【選択図】図１
2006068025.tif 000002
【特許請求の範囲】
【請求項１】
椅子の座面に載置する折りたたみ自在の座部材と腰当て部材とからなる座部と、この座部に立設する高さ調整部材と、この高さ調整部材の上部に設けた背当て部材と、この背当て部材に互いに横方向に出没自在に設けた左右一対の脇支え腕部材とからなることを特徴とする椅子用の腰痛軽減補助装置。
【請求項２】
前記左右一対の脇支え腕部材には、緩衝部材が被覆されていることを特徴とする請求  項１に記載された椅子用の腰痛軽減補助装置。
【請求項３】
前記脇支え腕部材の前方延出部と側方延出部とは枢支されていることを特徴とする請  求項１に記載された椅子用の腰痛軽減補助装置。
【請求項４】
座部材と、この座部材に立設する高さ調整部材と、この高さ調整部材の上部に設けた緩衝部材で被覆された脇支え腕部材とを有する一対の脇の下支持具とからなることを特徴とする椅子用の分離型腰痛軽減補助装置。
【請求項５】
対向面に接続部を有する座部材と、この座部材に立設する高さ調整部材と、この高さ調整部材の上部に設けた緩衝部材で被覆された脇支え腕部材とを有する一対の脇の下支持具と、互いの対向面に設けた接続部同士を連結する連結部材とからなることを特徴とする椅子用の分離型腰痛軽減補助装置。
【発明の詳細な説明】
【技術分野】
【０００１】
本発明は、椅子に座った際に、椅子の座部と両脇の下との間に高さ調整可能の脇の下支持具を介装することにより、腰部の腰椎にかかる上半身の体重を介装した脇の下支持具で上半身の体重を支え支持することで、下半身の重みで腰を自重牽引することにより腰の痛みを緩和軽減することのできる椅子用の腰痛軽減補助装置に関するものである。
【背景技術】
【０００２】
従来、加齢による筋力の衰えや重労働に従事している人に多かった腰痛は、以前に比して肉体による重労働が軽減しているにも関わらず、車利用の増加したことにより歩くことが減少し、筋力・足腰が弱ってきており、生活様式の変化に伴って、仕事、長時間の自動車でのドライブやテレビ、映画、音楽等の鑑賞等で椅子やソファーでの生活が日頃多くなっている。しかしながら、パソコンに向かっての長時間のデスクワークの増加などで同じ姿勢で長い時間椅子に座ることで、上半身の体重が腰部の腰椎にかかり、特に、慢性又は軽度の腰痛の人にとつても、腰への負担は大きく、座り方によっては椎間板を痛めることもある。
【０００３】
理想的な椅子への座り方として図５に示すように、仙骨と腰椎を押すように１０度の傾斜のある椅子の背凭れに配置すると共に、該背凭れに背中を凭れかけるようにして椅子に座る。そのとき、下腿の高さが水平となるような高さの椅子の踏み台を椅子の前に置いて足を載せて座る。そして、肘を椅子の肘掛けの上に載せて椅子に座ることにより腰部への負担を２５％軽減することができると云われている。
【０００４】
腰痛の治療方法として、薬物による療法、下半身の牽引による療法、外科的治療による手術療法、コルセットの装着による装具療法、腹筋や背筋増強のための運動療法などが行われている。例えば、下半身の牽引による療法として図６及び７に示すように、ベッド５０に仰臥した腰痛の患者の骨盤にバックル５６で装着する骨盤帯５２と、この骨盤帯５２に一端を取付け、他端を拡大棒５４に取付けた側帯５３、５３と、一端が拡大棒５４に掛止されるベッドの足側に設置された図示されていないプーリーを介して同じく図示されていない巻取り装置又は重りに繋がれたプーリーロープ５５とからなる骨盤の牽引装置がある。
【０００５】
上記骨盤の牽引装置は、下記の要領で整形外科での下半身の牽引による療法として治療に用いられている。腰痛の患者はベッド５０の上に膝を立てて仰臥し、両脇の下にベッドの頭側に固定した上体固定帯５１、５１を通して上半身はベッドに固定される。
次に、患者の骨盤に骨盤帯５２をバックル５６で装着し、この骨盤帯５２に取付けられた側帯５３、５３の他端を拡大棒５４の両端に取付ける。この拡大棒５４には、ベッドの足側に設置された図示されていないプーリーを介して同じく図示されていない巻取り装置又は重りに繋がれたプーリーロープ５５の一端が掛止される。該重りは患者の症状に応じて適宜重さが調整され、該巻取り装置も患者の症状に応じて、プーリーロープ５５の牽引力及び牽引時間が調整されている。
【非特許文献１】荻島 秀男 訳、「腰痛症  （原著第５版）」、医歯薬出版株式会社、２００３年４月第４版発行、第３２１〜３２４、３３３〜３３７頁
【０００６】
上記骨盤の牽引装置は、本格的な設備による整形外科のリハビリへの通院による治療が必要である。しかしながら、通院による治療の必要性はない慢性又は軽程度の腰痛の人や、既に整形外科での治療が済んでいるが、まだ腰に不安の残っている人にとつて牽引治療のためにリハビリのために病院に通う時間を取るのがなかなか難しい。通院せずに家庭で簡単に行えるような骨盤の牽引装置はなく、家庭においてせいぜい患部を温めたり冷やしたりして痛みを和らげているのが現状である。しかしながら、慢性又は軽度の腰痛に悩む人にとっても、家庭又は職場でのパソコンに向かっての長時間のデスクワーク、長時間の電車や自動車に同乗しての旅行、映画、テレビの鑑賞等と云った椅子での生活を送らざるを得ないのが現状である。
【発明の開示】
【発明が解決しようとする課題】
【０００７】
前方の椅子の背凭れ部を腕で抱え込んで椅子に座ったり、または、椅子の背凭れ部を前にして背凭れ部を腕で抱え込んで椅子に座ると、上半身の重みを凭れかかった椅子の背凭れ部が支えられることにより腰への負担が軽減され痛みが軽減されて楽になることが知られている。そこで本発明では、日常の椅子での生活において、椅子の座面と両脇の下との間に高さ調整自在とした脇の下支持具を介装することにより、使用する人のお尻の下側が座部材に微かに接する位の高さとなるように簡単に高さを調整することができ、椅子に座った際の上半身の重みを脇の下支持具で支え、下半身の重みで腰を自重牽引することにより簡単で且つ手軽に腰の痛みを緩和軽減することのできる椅子用の腰痛軽減補助装置を提供することを目的とするものである。
【課題を解決するための手段】
【０００８】
上記目的を達成するため、本発明の請求項１に記載の発明は、椅子の座面に載置する折りたたみ自在の座部材と腰当て部材とからなる座部と、この座部に立設する高さ調整部材と、この高さ調整部材の上部に設けた背当て部材と、この背当て部材に互いに横方向に出没自在に設けた左右一対の脇支え腕部材とからなることを特徴とするものである。
【０００９】
また、上記目的を達成するため、本発明の請求項２に記載の発明は、左右一対の脇支え腕部材には、緩衝部材が被覆されていることを特徴とするものである。また、上記目的を達成するため、本発明の請求項３に記載の発明は、脇支え腕部材の前方延出部と側方延出部とは枢支されていることを特徴とするものである。
【００１０】
また、上記目的を達成するため、本発明の請求項４に記載の発明は、座部材と、この座部材に立設する高さ調整部材と、この高さ調整部材の上部に設けた緩衝部材で被覆された脇支え腕部材とを有する一対の脇の下支持具とからなることを特徴とするものである。また、上記目的を達成するため、本発明の請求項５に記載の発明は、対向面に接続部を有する座部材と、この座部材に立設する高さ調整部材と、この高さ調整部材の上部に設けた緩衝部材で被覆された脇支え腕部材とを有する一対の脇の下支持具と、互いの対向面に設けた接続部同士を連結する連結部材とからなることを特徴とするものである。
【発明の効果】
【００１１】
本発明の請求項１に記載の発明は、左右一対の脇支え腕部材を設けた背当て部材を座部に立設する高さ調整部材に設けているので、脇の下を脇支え腕部材に凭れて椅子に座った際に、使用する人のお尻の下側が座部材に微かに接する位の高さとなるように簡単に高さを調整することができる。また、背当て部材に設けられた左右一対の脇支え腕部材は、互いにその幅を調整できるので、使用する人の体型に応じた脇幅に合わせることができる。また、椅子の座面に載置される座部は折り畳み自在となっているので、携帯及び収納性が良い。更に、椅子の座面と両脇の下との間に高さ調整可能とした脇の下支持具を介装することにより、椅子に座った際に上半身の重みを脇の下支持具で支え、下半身の重みで腰を自重牽引することにより腰の痛みを簡単で且つ手軽に緩和軽減することができる、との効果がある。
【００１２】
本発明の請求項２に記載の発明は、左右一対の脇支え腕部材には、緩衝部材が被覆されていることにより、脇支え腕部材に脇の下を支える際に脇の下の痛みを低減し、使い心地を良くすることができる、また、本発明の請求項３に記載の発明は、前方延出部は側方延出部に対して枢止されて回動自在となっていることにより、前方延出部が椅子に座る際に邪魔にならず、また、収納時及び携帯時にもコンパクトとなり利便性がよい、との効果がある。
【００１３】
本発明の請求項４に記載の発明は、椅子用の分離型腰痛軽減補助装置は、分離した左右一対の脇の下支持具でなっているので、収納時及び携帯時にもコンパクトとなり利便性がよいとの効果と共に、本発明の請求項１に記載の発明と同様の効果、脇支え腕部材を座部に立設する高さ調整部材に設けているので、脇の下を脇支え腕部材に凭れて椅子に座った際に、使用する人のお尻の下側が座部材に微かに接する位の高さとなるように簡単に高さを調整することができる、との効果がある。
【００１４】
本発明の請求項５に記載の発明は、椅子用の分離型腰痛軽減補助装置は、分離した左右一対の脇の下支持具と、この左右一対の脇の下支持具を連結する連結部材とからなっているので、収納時及び携帯時にもコンパクトとなり利便性がよいとの効果と共に、本発明の請求項１に記載の発明と同様の効果、脇支え腕部材を座部に立設する高さ調整部材に設けているので、脇の下を脇支え腕部材に凭れて椅子に座った際に、使用する人のお尻の下側が座部材に微かに接する位の高さとなるように簡単に高さを調整することができる、との効果がある。
【発明を実施するための最良の形態】
【００１５】
家庭や職場などの椅子、ソファーでの日常生活や、自動車又は電車での座席、映画又は劇場での座席を利用する際の腰痛の痛みを緩和軽減するため、携帯性と収納性に富んだ簡単な構成の椅子用の腰痛軽減補助装置の使用により手軽に実現した
ことで実現した。
【実施例１】
【００１６】
本発明の実施の態様を図１〜４によって説明する。図１は、本発明の実施の態様である椅子用の腰痛軽減補助装置の斜視図で、図２は、本発明の椅子用の腰痛軽減補助装置の使用状態図で、図３は、本発明の別の実施の態様である椅子用の分離型腰痛軽減補助装置の斜視図で、図４は、本発明の他の実施の態様である椅子用の分離型の腰痛軽減補助装置の斜視図である。
【００１７】
椅子の座面に載置される本発明の椅子用の腰痛軽減補助装置１の座部２は座部材３と腰当て部材５とからなっており、携帯及び収納のために座部材３と腰当て部材５とはヒンジ部材４で折り畳み自在に接続されており、座部材３と腰当て部材５は、座り心地を良くするためにクッション性を有する低発泡樹脂材で金属製の心材が被覆されている。なお、符号１６は、腰当て部材５に付設された枕部材で、椅子に座った際に腰骨を押圧する。座部２の腰当て部材５の心材には高さ調整部材６が立設されており、該高さ調整部材６は、ガス圧式、スクリュージャッキ式又はラチェット式等の手段を高さ調整操作部材１０の操作によって高さ（長さ）を調整されるようになっている。高さ調整部材６の上部には、金属製の心材をクッション性を有する低発泡樹脂材で被覆した背当て部材７が設けられている。
【００１８】
この背当て部材７の両側には、側方延出部８ａと前方延出部８ｂとからなる脇支え腕部材８、８が設けられている。該脇支え腕部材８、８は、本発明の椅子用の腰痛軽減補助装置１を使って椅子に座る人の体型に応じて調整のためにターンバックル式、ガス圧式等の伸縮調整手段によってそれぞれ水平方向に出没自在となっている。該前方延出部８ｂは、椅子に座った人の脇の下を支える際の使い心地を良くするためにクッション性を有する低発泡緩衝部材９で被覆されている。なお、前方延出部８ｂは側方延出部７ａに対して枢止されて回動自在となっていると、前方延出部８ｂが椅子に座る際に邪魔にならず、また、携帯時にコンパクトとなり利便性がよい。また、前方延出部８ｂは、座る人の身体の丸みに対応するために直線型よりも稍湾曲させておくと、該前方延出部８ｂを脇の下に当てたとき、身体の側面にフィットする。
【００１９】
この本発明の椅子用の腰痛軽減補助装置の使用方法について述べる。例えば、自宅の椅子に座っての使用方法について述べると、座部材３と腰当て部材５とが折り畳まれて収納されていた椅子用の腰痛軽減補助装置１の座部２の座部材３を開き、座部材３を椅子１１の座面に載せる。この時、椅子用の腰痛軽減補助装置１の腰当て部材５が椅子１１の背凭れに凭れかかかるようにして載せる。
【００２０】
次に、椅子１１の座面に載せた椅子用の腰痛軽減補助装置１の座部２の座部材３に座り、図示されていないターンバックル式、ガス圧式等の伸縮調整手段を脇支え腕部材８、８が脇の下に軽く当たるように操作する。このように、高さ調整部材６の上部の背当て部材７に設けた脇支え腕部材８、８の伸縮調整手段を調整して使用する人の体型に応じた脇幅に合わせることができる。
【００２１】
そして、高さ調整部材６の上部の背当て部材７に設けた脇支え腕部材８の前方延出部８ｂを脇の下に当て、背筋を伸ばして椅子に座り上半身の体重を該脇支え腕部材８の前方延出部８ｂに凭れさせた際に、椅子に座った人のお尻の下側が座部材３に微かに接する位の高さとなるように高さ調整操作部材１０を操作して高さ調整部材６の長さを調整する。すなわち、上半身の体重を該脇支え腕部材８の前方延出部８ｂで支えることで、椅子に座った際に、腰部に掛かる上半身の体重の一部を該脇支え腕部材８の前方延出部８ｂで支え、下半身の重みで腰を自重牽引することにより、腰の痛みを緩和軽減することができる。以上自宅の椅子で使用する場合について説明したが、職場でのデスクワーク時の椅子、自動車又は電車での座席、映画又は劇場での座席を利用する際にも上記と同様に使用することができる。
【００２２】
また、上記の使用方法では、高さ調整部材６の上部に設けた背当て部材７を図２に示すように椅子の背凭れに凭れかかるようにして載せた使用例について説明したが、別の使い方として、普通のように椅子の背凭れを背にして椅子に座ると共に、椅子に座った股の前方から腰の下に椅子用の腰痛軽減補助装置１の座部２の座部材３を挟み込み、椅子用の腰痛軽減補助装置１の背当て部材７に設けた脇支え腕部材８の前方延出部８ｂを脇の下に当て該背当て部材７を抱え込むようにして使用することもできる。すると、ちょうど単に前方の椅子の背凭れ部を腕で抱え込んで椅子に座ったり、または、椅子の背凭れ部を前にして背凭れ部を腕で抱えて椅子に跨って座った時のように腰への負担が緩和軽減されて楽になる。椅子用の腰痛軽減補助装置１を跨って使用するときには、図１で点線で示すように、腰当て部材５の両上面及び側面の太股が当たる部分を太股の丸みに対応した凹弧状に形成しておくと太股に痛みを感じることなく座ることができる。
【実施例２】
【００２３】
次に、図３に示す左右一対の椅子用の脇の下支持具１７ａ、１７ａとで構成される椅子用の分離型の腰痛軽減補助装置１８について説明する。椅子の座面に載置される椅子用の分離型の腰痛軽減補助装置１８の椅子用の脇の下支持具１７ａの座部材１２は、座り心地を良くするためにクッション性を有する低発泡樹脂材で金属製の心材が被覆されている。座部材１２の心材には高さ調整部材６が立設しており、前記椅子用の腰痛軽減補助装置１と同様、該高さ調整部材６は、ガス圧式、スクリュージャッキ式又はラチェット式の手段を高さ調整操作部材１０の操作によって高さ（長さ）を調整されるようになっている。高さ調整部材６の上部にクッション性を有する低発泡緩衝部材９で被覆された脇支え腕部材８が設けられている。なお、座部材１２の形状として断面形状四角形の座部材１２が図示されているが、断面丸形状、断面略円形状、断面略楕円形状としてもよい。
【００２４】
次に、左右一対の椅子用の脇の下支持具１７ａ、１７ａとで構成される椅子用の分離型の腰痛軽減補助装置１８の使用方法について述べる。前記「実施例１」と同様に自宅の椅子に座っての使用方法について述べると、左右の椅子用の脇の下支持具１７ａ、１７ａの座部材１２、１２をそれぞれ椅子１１の座面に載せる。そして、座部材１２に立設された高さ調整部材６の脇支え腕部材８を脇の下に当て、背筋を伸ばして椅子に座って上半身の体重を該脇支え腕部材８に凭れさせた際にお尻の下側が座部材３に微かに接する位の高さとなるように高さ調整操作部材１０を操作して高さ調整部材６の長さを調整する。すなわち、上半身の体重を該脇支え腕部材８で支えることで、椅子に座った際に、腰部に掛かる上半身の体重の一部を該脇支え腕部材８で支え、下半身の重みで腰を自重牽引し、腰の痛みを緩和軽減することができる。以上自宅の椅子で使用する場合について説明したが、職場でのデスクワーク時の椅子、自動車又は電車での座席、映画又は劇場での座席を利用する際にも上記と同様に使用することができる。
【実施例３】
【００２５】
次に、図４に示す左右一対の椅子用の脇の下支持具１７ｂ、１７ｂとで構成される椅子用の分離型の腰痛軽減補助装置１８について説明する。椅子の座面に載置される椅子用の分離型の腰痛軽減補助装置１８の椅子用の脇の下支持具１７ｂの座部材１２は、座り心地を良くするためにクッション性を有する低発泡樹脂材で金属製の心材が被覆されている。座部材１２の心材には高さ調整部材６が立設しており、前記椅子用の腰痛軽減補助装置１と同様、該高さ調整部材６は、ガス圧式、スクリュージャッキ式又はラチェット式の手段を高さ調整操作部材１０の操作によって高さ（長さ）を調整されるようになっている。高さ調整部材６の上部にクッション性を有する低発泡緩衝部材９で被覆された脇支え腕部材８が設けられている。
【００２６】
対向離間して置かれた椅子用の脇の下支持具１７ｂ、１７ｂの座部材１２、１２の対向面側には、座部材１２、１２同士を接続するための接続部１４、１４が形成されている。図４に示すように、この接続部１４が空所溝である場合には、これら接続部１４、１４の空所溝間に連結部材１３を挿入し、各接続孔１５にピンやネジ等の留め具を差し込み固定する。また、対向する椅子用の脇の下支持具１７ｂ、１７ｂの座部材１２、１２の対向面の一方を空所溝を形成し、他方に突出片を形成してピンやネジ等の留め具で互いを接続固定するようにしてもよい。
【００２７】
次に、左右一対の椅子用の脇の下支持具１７ｂ、１７ｂとで構成される椅子用の分離型の腰痛軽減補助装置１８の使用方法について述べる。前記「実施例１」及び「実施例２」と同様に自宅の椅子に座っての使用方法について述べると、左右の椅子用の脇の下支持具１７ｂ、１７ｂの座部材１２、１２をそれぞれ椅子１１の座面に載せる。そして、座部材１２、１２の対向面側に形成された接続部１４、１４の空所溝に連結部材１３を挿入し、接続部１４及び連結部材１３に形成されている各接続孔１５、１５、・・・にピンやネジ等の留め具を差し込み、座部材１２、１２に立設された高さ調整部材６、６の上部に設けた脇支え腕部材８、８が丁度脇の下となるように使用する人に合わせて調整固定する。
【００２８】
次に、座部材１２に立設された高さ調整部材６の脇支え腕部材８を脇の下に当て、背筋を伸ばして椅子に座って上半身の体重を該脇支え腕部材８に凭れさせた際にお尻の下側が座部材３に微かに接する位の高さとなるように高さ調整操作部材１０を操作して高さ調整部材６の長さを調整する。すなわち、上半身の体重を該脇支え腕部材８で支えることで、椅子に座った際に、腰部に掛かる上半身の体重の一部を該脇支え腕部材８で支え、下半身の重みで腰を自重牽引し、腰の痛みを緩和軽減することができる。以上自宅の椅子で使用する場合について説明したが、職場でのデスクワーク時の椅子、自動車又は電車での座席、映画又は劇場での座席を利用する際にも上記と同様に使用することができる。
【図面の簡単な説明】
【００２９】
【図１】本発明の実施の態様である椅子用の腰痛軽減補助装置の斜視図である。
【図２】本発明の椅子用の腰痛軽減補助装置の使用状態図である。
【図３】本発明の別の実施の態様である椅子用の分離型の腰痛軽減補助装置の斜視図である。
【図４】本発明の他の実施の態様である椅子用の分離型の腰痛軽減補助装置の斜視図である。
【図５】椅子の正しい座り方の側面図である。
【図６】従来の骨盤の牽引装置の使用状態平面図である。
【図７】従来の骨盤の牽引装置の使用状態側面図である。
【符号の説明】
【００３０】
１  腰痛軽減補助装置、  ２  座部、  ３  座部材、  ４  ヒンジ部材、
５  腰当て部材、  ６  高さ調整部材、  ６ａ  高さ調整基部、
６ｂ  高さ調整伸縮部、  ７  背当て部材、  ８  脇支え腕部材、  ８ａ  側方延出部、
８ｂ  前方延出部、  ９  緩衝部材、  １０  高さ調整操作部材、  １１  椅子、
１２  座部材、  １３  連結部材、  １４  接続部、  １５  接続孔、  １６  枕部材、
１７ａ  脇の下支持具、  １７ｂ  脇の下支持具、  １８  分離型の腰痛軽減補助装置。
【図１】
2006068025.tif 000003
【図２】
2006068025.tif 000004
【図３】
2006068025.tif 000005
【図４】
2006068025.tif 000006
【図５】
2006068025.tif 000007
【図６】
2006068025.tif 000008
【図７】
2006068025.tif 000009